(57)【特許請求の範囲】
【請求項１】
鉄板を複数枚積層して形成した鉄遮蔽体の外表面に、該遮蔽体と同じ幅，高さを有する鉄製箱体を配すると共に、該鉄製箱体の前面板と背面の間の奥行きに亘り中性子線遮蔽機能を具えた合成樹脂から成る隔壁を兼ねた構造壁を設置して前記鉄製箱体を前記鉄遮蔽体の外面に固定し、前記構造壁で仕切られた各室の内部に前記合成樹脂と同じ機能を備えた合成樹脂のペレットを充填して成ることを特徴とする放射線遮蔽体。
【請求項２】
鉄製箱体には、背面板を設け、鉄遮蔽体の外表面板に兼用させるようにした請求項１の放射線遮蔽体。
【請求項３】
中性子線遮蔽機能を具えた合成樹脂は、ポリエチレン樹脂である請求項１又は２の放射線遮蔽体。
【請求項４】
構造壁は、鉄遮蔽体の前表面と鉄製箱体の前面板内面とに対応させて取付けた取付部材に、その前後部を固着した請求項１〜３のいずれかの放射線遮蔽体。
【発明の詳細な説明】
【０００１】
【発明の属する技術分野】
本発明は、放射線が放射される室や施設の出入口の扉のように、閉扉時に放射線を完全に遮蔽する必要があるものに用いて有用な放射線遮蔽体に関するものである。
【０００２】
【従来の技術】
従来、放射線が放射される室や施設の壁は放射線遮蔽機能を具えた遮蔽壁Ｓにより形成され、その出入口の扉は、図３に示すように、鉄板を適宜枚数重合して形成した鉄遮蔽体１の外側に、中性子線遮蔽機能に優れたポリエチレン板の適宜数を重合し、その外側を鉄板で被覆して形成したポリエチレンブロック２を配し、該ポリエチレンブロック２を取付金具３により鉄遮蔽体１に一体に取付けて形成されている。これは、鉄遮蔽体１のみでは中性子線を遮蔽できず、中性子線は鉄遮蔽体１を透過して外部に放射されるからであって、ポリエチレンブロック２と云えども、適宜の厚さがないと中性子線を確実に遮蔽することはできない。
【０００３】
而して、ポリエチレン板はその大きさに限度があるため、図３のポリエチレンブロック２はこれを例えば各ブロック21，22，23のように分割し、それらの接合部から中性子線が洩れないように、ブロック21及び23の接合面は段部21a，23aに形成すると共に、ブロック22の左右側の接合面も前記段部21a，23aに対応する二つの段部22a，22bに形成して、各ブロック21，22，23を段違い接合している。即ち、ブロック22は平面凸状に形成し、同じくブロック21，23はブロック22に対応する段部21a，23aを形成することにより、それらを接合すれば、一つのブロック状に形成されるようにしている。また、各ブロック21，22，23は、多数のボルト杆等による取付金具23を全面に取付けて、各ブロック21〜23の夫々の強度を高めると共にそれぞれを鉄遮蔽体１の外面に固定している。
【０００４】
然し乍ら、上記各ブロック21，22，23の接合面ｍ，ma，ｎ，naは外面が鉄板で覆われているため、これらを取付金具３の緊締によって密接させたとしても、各接合面ｍ，ma，ｎ，na自体は中性子線の遮蔽能力のない鉄材であること、各ブロックの接合面に隙間が存在すること、各ブロック21〜23内に設けた中性子線の遮蔽能力のない取付金具３がポリエチレンを貫通していることなどにより、閉扉時に、鉄遮蔽体１を透過した中性子線は、接合面ma，ｍ，同na，ｎ、又は、これら接合面の隙間や取付金具３を透過し外部に洩れて危険を招くおそれがある。即ち、遮蔽欠損が生じるおそれがあるということであって、これはポリエチレンブロックを分割構造とし各ブロック21〜23を鉄板で被覆してポリエチレンが介在しない鉄板による接合面ｍ，ma，ｎ，naが形成されていること、或は、各ブロック21〜23内に鉄製の取付金具３が貫通して設けられているからである。なお、図３において、４は扉の駆動部、ｗは車輪、Ｒは床に敷設したレ−ルである。
【０００５】
【発明が解決しようとする課題】
本発明は、上述のような従来技術に鑑み、隙間が生じる接合部を形成したり、取付金具を埋設することなく、外見上全体が一枚の板状乃至はブロック状に形成されると共に、内部に中性子線が通るような隙間が形成されないようにして、中性子線を含めた放射線に対する高度な遮蔽機能を具えており、放射線が放射される室の出入口の扉等に用いて有用な放射線遮蔽体を提供することを、その課題とするものである。
【０００６】
【課題を解決するための手段】
上記課題を解決することを目的としてなされた本発明放射線遮蔽体の構成は、鉄板を複数枚積層して形成した鉄遮蔽体の外表面に、該遮蔽体と同じ幅，高さを有する鉄製箱体を配すると共に、該鉄製箱体の前面板と背面の間の奥行きに亘り中性子線遮蔽機能を具えた合成樹脂から成る隔壁を兼ねた構造壁を設置して前記鉄製箱体を前記鉄遮蔽体の外面に固定し、前記構造壁で仕切られた各室の内部に前記合成樹脂と同じ機能を備えた合成樹脂のペレットを充填して成ることを特徴とするものである。なお、前記鉄製箱体は背面板を備えたものであってもよい。この場合、隔壁兼用の構造壁は当該箱体の前，後面板の間に設け、この箱体を鉄遮蔽体の前面に固定する。
【０００７】
而して、上記の中性子線遮蔽機能を具えた合成樹脂としては、ポリエチレン樹脂を用いると、材料の入手、製作及び施工費、コスト面で有利である。また、上記の構造壁は、鉄遮蔽体の前表面と鉄製箱体の前面板内面とに対向させ、溶接等により鉄製Ｌ型材をそれぞれ２個取付けて成る取付部材に、その前後部を挿入し、ボルト，ナット等の固着具により固着する。
【０００８】
また、合成樹脂としてポリエチレン樹脂を用いた場合、鉄製箱体の中に充填するポリエチレンペレットのポリエチレンブロックに対する嵩比重は0.60〜0.62であるから、ポリエチレンペレットを充填する前記鉄製箱体の奥行は、ポリエチレンブロックを使用した場合の該ブロックの厚さの1.67倍程度とする。
【０００９】
【発明の実施の形態】
次に、本発明の実施の形態例を図により説明する。図１は本発明放射線遮蔽体を扉に用いた例の斜視図、図２は合成樹脂製構造壁の設置例を示す平断面拡大図である。
【００１０】
図において、１は従来公知の鉄遮蔽体と同じ鉄遮蔽体、５は該鉄遮蔽体１の前表面に配し適宜厚、例えば50mm厚程度のポリエチレン製構造壁６により前記鉄遮蔽体１に固定した背面板抜きの鉄製箱体で、適宜厚、例えばの６mm厚程度の鉄板から成るものであり、この鉄製箱体５は次のようにして鉄遮蔽体１に固定されている。即ち、鉄遮蔽体１の前面と鉄製箱体５の前面板内面とに溶接等により対向させてそれぞれ２個取付けた鉄製Ｌ型材から成る取付部材７，７及び８，８に適宜厚のポリエチレン製構造壁６のその前後部を挿入し、ボルト９，ナット10等の固着具により固着するのである。なお、鉄製箱体５は背面板を備えたものを用い、この背面板を鉄遮蔽体１の前面に固定一体化するようにしてもよい。また、図中、４は扉の駆動部、ｗは車輪、Ｒは床に敷設したレ−ルで、図３に示したものと同じである。
【００１１】
Ｐは鉄製箱体５内に充填したポリエチレンペレットであって、ポリエチレン樹脂は、これを板材に成形した場合の樹脂量と、ペレット状態の樹脂容量との比が１：0.60〜0.62であるから、このポリエチレンペレットＰを充填する鉄製箱体５の奥行は、ポリエチレンブロックを使用した場合の該ブロックの厚さの1.67倍程度とする。なお、前記ポリエチレンペレットＰは、これを自然投下により充填した場合の充填率は鉄製箱体の容量の0.60、自然投下後突き固めた場合の充填率は0.62程度であるから、自然投下後突き固めた方が中性子線遮蔽機能は高まる。
【００１２】
上記のように構成される本発明放射線遮蔽体は、これを図示のように、放射線遮蔽扉に使用すると、室内から放射される放射線の中性子線を除くものは鉄遮蔽体１により遮蔽されるが、中性子線は鉄遮蔽体１を透過して鉄製箱体５内に充填されたポリエチレンペレットＰの層に進入するが、ポリエチレンペレットＰの中性子線遮蔽機能により遮蔽されて外部に放射される恐れはない。
【００１３】
また、鉄製箱体５は、従来のポリエチレンブロックのように接合部が形成されず、接合部に起因する遮蔽欠損は生じないので、全体として、安全性は極めて高いものとなる。
【００１４】
なお、上記例においては、本発明放射線遮蔽体を放射線遮蔽扉に使用する例について述べたが、本発明放射線遮蔽体は扉に限られず、中性子線を含めた放射線を遮蔽する必要がある壁体等に使用しても、同様の効果を奏する。
【００１５】
【発明の効果】
本発明は上述のとおりであって、中性子を除く放射線を遮蔽する鉄遮蔽体の外側に鉄製箱体を、中性子線遮蔽機能を具えた合成樹脂板から成る構造壁を介して固定し、該鉄製箱体の内部に中性子線遮蔽機能を具えた合成樹脂ペレットを充填して構成したから、中性子線が鉄遮蔽体を透過して鉄製箱体内に進入しても、該鉄製箱体の内部に充填した合成樹脂ペレットがこれを遮蔽するので、中性子線は鉄製箱体内を透過せず、従って、中性子線が外部に放射される恐れはない。
【００１６】
また、中性子線遮蔽機能を具えた合成樹脂にポリエチレン樹脂を用いれば、材料の入手、製作及び施工費、コスト面で有利であり、しかも従来のポリエチレンブロックを用いた放射線遮蔽体に対し、施工が容易で、現場施工作業を著しく省力化できる。
【図面の簡単な説明】
【図１】  本発明放射線遮蔽体を扉に用いた例の斜視図。
【図２】  合成樹脂製構造壁の設置例を示す平断面拡大図。
【図３】  従来の放射線遮蔽扉の斜視図。
【符号の説明】
１  鉄遮蔽体
５  鉄製箱体
６  ポリエチレン製構造壁
７，８  取付部材
９  ボルト
10  ナット
Ｐ  ポリエチレンペレット
【図１】
0003919264.tif 000002
【図２】
0003919264.tif 000003
【図３】
0003919264.tif 000004